(57)【要約】      （修正有）【課題】耐久性の向上を図ることができる紙製の靴中敷きを提供する。【解決手段】紙原料液に防水剤を添加した紙料液を抄紙することによって得られた湿紙を雌金型および雄金型からなる金型内で熱圧することによって中敷き本体１２とともに内側縦アーチ支持部１４などの立体形状部２４を一体成形する。【選択図】図１
2020054733.tif 000002
【特許請求の範囲】
【請求項１】
中敷き本体に立体形状部を設けた紙製の靴中敷きであって、
防水剤を添加した紙料液を抄紙することによって得られた湿紙を金型内で熱圧することによって前記中敷き本体とともに前記立体形状部を一体成形したことを特徴とする靴中敷き。
【請求項２】
請求項１において、
前記中敷き本体の表面を保護材で被覆したことを特徴とする靴中敷き。
【請求項３】
請求項１または２において、
前記立体形状部として、
前記中敷き本体の土踏まず対応領域における内側縦アーチ対応領域を隆起させた内側縦アーチ支持部と、
前記中敷き本体における中足骨基部の横アーチ対応領域を隆起させた横アーチ支持部と、を設けたことを特徴とする靴中敷き。
【発明の詳細な説明】
【技術分野】
【０００１】
本発明は、靴中敷きに関する。
【背景技術】
【０００２】
従来から吸湿性能や防臭性能を備えた靴の中敷きが知られている。吸湿性能や防臭性能は、時間経過とともに低下するため、近年では、短期間（例えば、一日〜数日）で新しい中敷きに交換する使い捨ての中敷きの需要が高まっており、このような中敷きとして茶香紙で形成された中敷きが知られている（特許文献１参照）。
【先行技術文献】
【特許文献】
【０００３】
【特許文献１】特開２００６−２８８５４８号公報
【発明の概要】
【発明が解決しようとする課題】
【０００４】
しかしながら上記したような紙製の中敷きは、紙製であることによって破れやすく短期間の使用を前提としても耐久性に問題があったため、耐久性の向上が望まれている。
【０００５】
本発明は上記事情に鑑みてなされたものであり、その目的は、耐久性の向上を図ることができる紙製の靴中敷きを提供することにある。
【課題を解決するための手段】
【０００６】
（１）本発明は、中敷き本体に立体形状部を設けた紙製の靴中敷きであって、防水剤を添加した紙料液を抄紙することによって得られた湿紙を金型内で熱圧することによって前記中敷き本体とともに前記立体形状部を一体成形した靴中敷きに関するものである。
【０００７】
本発明では、紙の原料液に防水剤を添加したことによって紙の吸水性や吸湿性を低減させたため、吸水や吸湿による強度の低下を抑制することができ、耐久性の向上を図ることができる。また本発明では、防水剤を添加した紙料液を抄紙することによって得られた湿紙を金型内で熱圧することによって中敷き本体とともに立体形状部を一体成形したため、加熱によって湿紙を乾燥させつつ加圧によって強度を高めることができ、耐久性の向上を図ることができる。
【０００８】
（２）本発明の靴中敷きでは、中敷き本体の表面を保護材で被覆するようにしてもよい。
【０００９】
このようにすれば、中敷き本体を保護することができるため、耐久性の向上を図ることができる。
【００１０】
（３）本発明の靴中敷きでは、前記立体形状部として、前記中敷き本体の土踏まず対応領域における内側縦アーチ対応領域を隆起させた内側縦アーチ支持部と、前記中敷き本体における中足骨基部の横アーチ対応領域を隆起させた横アーチ支持部と、を設けるようにしてもよい。
【００１１】
このようにすれば、内側縦アーチ支持部によって足の内側縦アーチを支持することができ、横アーチ支持部によって足の中足骨基部の横アーチを支持することができるため、アーチの低下を予防または矯正することができる。
【図面の簡単な説明】
【００１２】
【図１】本発明の実施形態に係る靴中敷きの斜視図である。
【図２】本発明の実施形態に係る靴中敷きの平面図である。
【図３】図２に示す靴中敷きのＡ−Ａ線断面図である。
【図４】本発明の実施形態に係る靴中敷きの立体形状部と足骨との位置関係を説明する図である。
【図５】本発明の実施形態に係る靴中敷きの底面図である。
【図６】本発明の実施形態に係る靴中敷きの製造方法を示すフローチャートである。
【図７】本発明の実施形態に係る靴中敷きの抄紙工程を説明する図である。
【図８】本発明の実施形態に係る靴中敷きの乾燥工程を説明する図である。
【図９】本発明の実施形態に係る靴中敷きの裁断工程を説明する図である。
【図１０】本発明の実施形態の変形例に係る靴中敷きの平面図である。
【発明を実施するための形態】
【００１３】
以下、本実施形態について説明する。なお、以下に説明する本実施形態は、特許請求の範囲に記載された本発明の内容を不当に限定するものではない。また本実施形態で説明される構成の全てが、本発明の必須構成要件であるとは限らない。
【００１４】
１．構成
図１は、本発明の実施形態に係る靴中敷きの斜視図であり、図２は、本発明の実施形態に係る靴中敷きの平面図であり、図３は、図２に示す靴中敷きのＡ−Ａ線断面図であり、図４は、中敷き本体の立体形状部と足骨との位置関係を説明する図であり、図５は、本発明の実施形態に係る靴中敷きの底面図である。なお図１〜図５に示す靴中敷きは右足用のものであり、左足用の靴中敷きは、右足用のものに対して左右対称の形状を有している。また本実施形態に係る靴中敷きは、靴に備え付けの中敷きの上にさらに敷設して使用することもできるし、靴に備え付けの中敷きに替えて中底の上に敷設して使用することもできる。また本実施形態に係る靴中敷きは、紳士靴や婦人靴など種々の靴に使用することができ、靴の種類を限定するものではない。
【００１５】
本実施形態の靴中敷き１０は、略足型の中敷き本体１２に立体形状部２４を設けた紙製の中敷きであり、図１および図２に示すように、立体形状部２４として、内側縦アーチ支持部１４、横アーチ支持部１６、ヒールカップ部１８、外側縦アーチ支持部２０、および複数の線状凸部２２が設けられ、これら複数の立体形状部２４は、中敷き本体１２に一体成形されている。
【００１６】
内側縦アーチ支持部１４は、図４に示すように、踵骨５０、舟状骨５２、第１楔状骨５４、および第１中足骨５８で形成される足の内側縦アーチ３０を支持するものであり、図２および図４に示すように、中敷き本体１２の土踏まず対応領域における内側縦アーチ対応領域３２を隆起させた凸形状となっている。すなわち図３に示すように、内側縦アーチ支持部１４の裏面は、凹形状となっている。なお内側縦アーチ支持部１４の形状は、任意に設計することができる。
【００１７】
横アーチ支持部１６は、図４に示すように、第１中足骨５８、第２中足骨６０、第３中足骨６２、第４中足骨６４、および第５中足骨６６の５つの中足骨で形成される足の横アーチであって中足骨基部６８（後部）の位置に形成される足の横アーチ３４を支持するものであり、図２および図４に示すように、中敷き本体１２における中足骨基部６８の横アーチ対応領域３６を隆起させた凸形状となっている。すなわち図３に示すように、横アーチ支持部１６の裏面は、凹形状となっている。なお横アーチ支持部１６の形状は、任意に設計することができる。
【００１８】
ヒールカップ部１８は、足の踵骨５０を垂直に支持するものであり、図２および図４に示すように、足の踵部の周囲を取り囲むように中敷き本体１２における踵周縁領域７０を隆起させた凸形状となっている。なおヒールカップ部１８の形状は、任意に設計することができる。
【００１９】
外側縦アーチ支持部２０は、図４に示すように、踵骨５０、立方骨５６、および第５中足骨６６で形成される足の外側縦アーチ３８を支持するものであり、図２および図４に示すように、ヒールカップ部１８を外側周縁沿いに中敷き本体１２の中央部まで延設したものであって、中敷き本体１２における内側縦アーチ対応領域３２の反対側の外縁領域である外側縦アーチ対応領域７２を隆起させた凸形状となっている。なお外側縦アーチ支持部２０の形状は、任意に設計することができる。
【００２０】
線状凸部２２は、靴内での足の前すべりを防ぐものであり、図２および図３に示すように、中敷き本体１２における内側縦アーチ部１４および横アーチ部１６を除く足裏が当接する領域を一定間隔ごとに線状に隆起させた凸形状となっている。すなわち中敷き本体１２の表面は、凹凸形状となっている。なお線状凸部２２の形状は、任意に設計することができる。
【００２１】
また本実施形態では、図３に示すように、中敷き本体１２における足裏が当接する領域の厚さＴは、１ｍｍ以下となっている。
【００２２】
また本実施形態では、図５に示すように、中敷き本体１２におけるつま先側の裏面には、大きさを調整するためのミシン目７４が設けられている。またミシン目７４は、図３に示すように、切込が表面まで至らないハーフカットで形成されている。
【００２３】
２．製造方法
図６は、本発明の実施形態に係る靴中敷きの製造方法を示すフローチャートであり、図７は、本発明の実施形態に係る靴中敷きの抄紙工程を説明する図であり、図８は、本発明の実施形態に係る靴中敷きの乾燥工程を説明する図であり、図９は、本発明の実施形態に係る靴中敷きの裁断工程を説明する図である。
【００２４】
本実施形態の靴中敷きは、図６に示すように、紙料液を調整する調整工程（Ｓ１）、紙料液を抄紙して湿紙を得る抄紙工程（Ｓ２）、得られた湿紙を乾燥させて紙シートを得る乾燥工程（Ｓ３）、得られた紙シートを裁断して中敷き本体を得る裁断工程（Ｓ４）、得られた中敷き本体の表面（上面）を保護フィルムで被覆するコーティング工程（Ｓ５）を経て製造される。
【００２５】
まず調整工程では、パルプを水に分散させた紙原料液に防水剤を添加し、混合均一化して紙料液を調整する（Ｓ１）。パルプとしては、ＬＢＫＰ（広葉樹さらしクラフトパルプ）、ＮＢＫＰ（針葉樹さらしクラフトパルプ）などの化学パルプ、ＧＰ（砕木パルプ）などの機械パルプ、ＤＩＰ（脱インキパルプ）などの木材パルプ、およびケナフ、バガス、竹、コットンなどの非木材パルプなどを単独でまたは複数を組み合わせて用いることができる。本実施形態では、パルプとして、化学パルプ（例えば、ＬＢＫＰ）と非木材パプル（例えば、バガス）とを含む２種類のパルプの混合物を用いており、非木材パルプを主成分（主体）とし、パルプ全質量に対して非木材パルプを７０質量％で含むようにしている。このように本実施形態では、非木材パルプの割合が他のパルプよりも多い方が好ましい。なおパルプとしては、２種類のパルプの混合物に限られるものではなく、非木材パルプを含む３種類以上のパルプの混合物としてもよい。この場合には、非木材パルプの割合が最も多くなるようにすることが好ましい。またパルプとしては、１種類のパルプ（非木材パルプまたは非木材パルプとは異なるパルプ）としてもよい。
【００２６】
また防水剤としては、松脂などが挙げられる。本実施形態では、パルプ全質量に対して防水剤を１０質量％〜２０質量％の割合で配合することが好ましく、特にはパルプ全質量に対して１５質量％の割合で配合することが好ましい。
【００２７】
続いて抄紙工程では、予め形状設定された抄紙金型８０にて紙料液を抄紙して湿紙９２を得る（Ｓ２）。図７（Ａ）に示すように、抄紙金型８０には、複数の脱水口９０が設けられており、抄紙金型８０上に紙料液を供給すると、図７（Ｂ）に示すように、脱水口９０から水分が排出されて湿紙９２が形成される。
【００２８】
また抄紙金型８０には、図７（Ａ）に示すように、内側縦アーチ支持部１４を成形する内側縦アーチ支持部成形凸部８２、横アーチ支持部１６を成形する横アーチ支持部成形凸部８４、ヒールカップ部１８を成形するヒールカップ部成形凸部８６、および外側縦アーチ支持部２０を成形する外側縦アーチ支持部成形凸部８８が設けられている。このため抄紙工程では、図７（Ｂ）に示すように、内側縦アーチ支持部１４、横アーチ支持部１６、ヒールカップ部１８、および外側縦アーチ支持部２０が形成された湿紙９２が得られる。
【００２９】
続いて乾燥工程では、予め形状設定された雌金型９４および雄金型９６を備えた加熱加圧プレス機にて、抄紙工程で得られた湿紙９２を熱圧して乾燥させて紙シート１００を得る（Ｓ３）。図８（Ａ）に示すように、雌金型９４には、ミシン目７４を成形するミシン目成形凸部１０４が設けられているとともに、抄紙金型８０と同様に、内側縦アーチ支持部成形凸部８２、横アーチ支持部成形凸部８４、ヒールカップ部成形凸部８６、および外側縦アーチ支持部成形凸部８８が設けられており、雌金型９４に嵌合する雄金型９６には、線状凸部２２を成形する複数の線状凸部成形凹部９８、内側縦アーチ支持部成形凸部８２が嵌合する内側縦アーチ支持部成形凹部１０６、および横アーチ支持部成形凸部８４が嵌合する横アーチ支持部成形凹部１０８が設けられている。そして抄紙工程で得られた湿紙９２を雌金型９４上に位置合わせして設置し、図８（Ｂ）に示すように、雄金型９６を雌金型９４方向に押し下げて加圧するとともに加熱すると、内側縦アーチ支持部１４、横アーチ支持部１６、ヒールカップ部１８、外側縦アーチ支持部２０、および複数の線状凸部２２が形成された紙シート１００が得られる。
【００３０】
続いて裁断工程では、図９に示すように、乾燥工程で得られた紙シート１００を裁断して中敷き本体１２を形成する（Ｓ４）。こうして中敷き本体１２とともに内側縦アーチ支持部１４などの立体形状部２４が一体成形される。
【００３１】
最後にコーティング工程では、裁断工程で得られた中敷き本体１２の表面（足裏が当接する側の面）に、保護材としての保護フィルム（または保護シート）をラミネート加工による熱融着により貼り付けて保護層を形成する（Ｓ５）。保護フィルムとしては、ＡＢＳ樹脂（アクリロニトリル−ブタジエン−スチレン系樹脂）、ＰＬＡ樹脂（ポリ乳酸樹脂）などの熱可塑性樹脂フィルムを用いることができる。本実施形態では、保護フィルムとして、透水性を有するＰＬＡ樹脂から成る透明なフィルムを用いている。また保護層は、中敷き本体１２の裏面には形成されずに中敷き本体１２の表面にのみ形成され、中敷き本体１２における足裏が当接する領域の厚さＴよりも薄く形成される。
【００３２】
このように本実施形態では、紙原料液に防水剤を添加した紙料液を抄紙することによって得られた湿紙９２を雌金型９４および雄金型９６からなる金型内で熱圧することによって中敷き本体１２とともに内側縦アーチ支持部１４などの立体形状部２４を一体成形することによって靴中敷き１０を製造する。
【００３３】
そして本実施形態では、紙原料液に防水剤を添加したことによって紙の吸水性や吸湿性を低減させたため、吸水や吸湿による強度の低下を抑制することができ、靴中敷き１０の耐久性の向上を図ることができる。また本実施形態では、紙料液を抄紙することによって得られた湿紙９２を金型内で熱圧することによって中敷き本体１２とともに立体形状部２４を一体成形したため、加熱によって湿紙９２を乾燥させつつ加圧によって紙の強度を高めることができ、靴中敷き１０の耐久性の向上を図ることができる。また本実施形態では、中敷き本体１２の表面を保護フィルムで被覆したため、中敷き本体１２を保護することができ、靴中敷き１０の耐久性の向上を図ることができる。これにより本実施形態によれば、一日〜数日程度の短期間（例えば、７日程度）にわたって使用しても十分に強度を維持することができ、短期間の使用であれば破断や破損することなく使用可能な使い捨ての靴中敷きを提供することができる。
【００３４】
また本実施形態では、紙原料液に防水剤を添加したことによって紙の吸水性や吸湿性を低減させたが紙本来の吸水性や吸湿性は完全には失われてはいないとともに、中敷き本体１２の表面を覆う保護層を、透水性を有するＰＬＡ樹脂によって形成したため、吸水性や吸湿性を残しつつ靴中敷き１０の耐久性の向上を図ることができ、吸水性や吸湿性を有しかつ短期間の使用に耐える十分な耐久性を有する使い捨ての靴中敷きを提供することができる。
【００３５】
また本実施形態では、紙原料液に防水剤を添加したことによって紙の吸水性や吸湿性を低減させたため、中敷き本体１２の表面に撥水加工、防水加工、または耐水加工を施す場合に比べて、吸水性や吸湿性を残しつつ靴中敷き１０の耐久性の向上を図ることができる。
【００３６】
また本実施形態では、立体形状部２４として、内側縦アーチ支持部１４、横アーチ支持部１６、および外側縦アーチ支持部２０を設けたため、内側縦アーチ支持部１４によって足の内側縦アーチ３０を支持することができ、横アーチ支持部１６によって足の中足骨基部６８の横アーチ３４を支持することができ、外側縦アーチ支持部２０によって足の外側縦アーチ３８を支持することができ、アーチの低下を予防または矯正することができる。
【００３７】
また本実施形態では、立体形状部２４として、ヒールカップ部１８、および複数の線状凸部２２を設けたため、ヒールカップ部１８によって足の踵骨５０を垂直に支持することができ、線状凸部２２によって靴内での足の前すべりを防ぐことができる。
【００３８】
また本実施形態の靴中敷き１０は、紙製であることによってカッターやハサミ等で容易に切断可能となっている。そして本実施形態では、中敷き本体１２におけるつま先側の裏面に大きさを調整するためのミシン目７４を設けたため、ミシン目７４に沿って切断することで大きさを調整することができ、サイズや形状の異なる様々な種類の靴に使用することができる。
【００３９】
また本実施形態では、中敷き本体１２における足裏が当接する領域の厚さを１ｍｍ以下とするとともに、中敷き本体１２の表面を覆う保護フィルムによる保護層を中敷き本体１２における足裏が当接する領域の厚さよりも薄く形成したため、靴に備え付けの中敷きの上にさらに敷設しても靴の内部空間を十分に確保することができ、靴が履き難くなるのを防ぐことができる。また本実施形態では、紙原料液のパルプを、バガス（非木材パルプ）を主成分とし、パルプ全質量に対してバガスを７０質量％で含むようにしたことによって紙の強度を高めたため、中敷き本体１２における足裏が当接する領域の厚さを１ｍｍ以下としても十分な強度を確保することができる。
【００４０】
また本実施形態では、紙原料液に防水剤を添加したことによって紙の吸水性や吸湿性を低減させたが紙本来の吸水性や吸湿性は完全には失われてはいないとともに、中敷き本体１２の表面を覆う保護層を、透水性を有するＰＬＡ樹脂によって形成したため、一定期間に渡って継続使用すると靴内の湿気を吸収して靴中敷き１０が柔らかくなり、使用者の踏圧によって中敷き本体１２における足裏が当接する領域が使用者の足裏形状に変形する。これにより使用者の足裏にフィットして快適な装着感を提供することができる。
【００４１】
また本実施形態では、パルプ全質量に対して防水剤を１０質量％未満の割合で配合すると、紙の吸水性や吸湿性を十分に阻害できず、短期間（例えば、７日程度）の使用に耐え得る十分な強度を得ることができないとともに、パルプ全質量に対して防水剤を２０質量％より多い割合で配合すると、靴内の湿気を吸収して靴中敷き１０が足裏形状に変形可能となるまでに多くの時間を要することとなるが、本実施形態では、パルプ全質量に対して防水剤を１０質量％〜２０質量％の範囲内（具体的には１５重量％）で配合したため、短期間（例えば、７日程度）の使用に耐え得る十分な強度を得ることができつつ多くの時間を要することなく中敷き本体１２が使用者の足裏形状に変形可能となるようにすることができる。
【００４２】
３．変形例
本発明は、上記の実施形態で説明したものに限らず、種々の変形実施が可能であり、以下に変形例を紹介する。なお、上記実施形態や以下において説明する変形例は、適宜組み合わせて採用することができる。
【００４３】
上記実施形態では、立体形状部２４として、内側縦アーチ支持部１４、横アーチ支持部１６、ヒールカップ部１８、外側縦アーチ支持部２０、および複数の線状凸部２２を設けた場合を例に取り説明したが、これらのうち一部のみを設けるようにしてもよい。また図１０に示すように、線状凸部２２に替えて円状凸部１０２を設けるようにしてもよい。このようにすれば、つぼ刺激効果を使用者に与えることができる。また中敷き本体１２におけるつま先側の裏面に設けたミシン目７４については設けなくてもよい。
【００４４】
また上記実施形態では、紙原料液に防水剤を添加した場合を例に取り説明したが、防水剤に加えて消臭剤や抗菌剤をさらに添加して紙料液を調整するようにしてもよい。このようにすれば、消臭効果や抗菌効果を得ることができる。
【００４５】
また上記実施形態では、乾燥工程に続いて裁断工程を行う場合を例に取り説明したが、乾燥工程に続いて、乾燥工程で得られた紙シート１００の厚さ方向（中敷き本体１２の厚さ方向）に加圧する加圧工程を行い、最後に裁断工程を行うようにしてもよい。このようにすれば、加圧工程における加圧によって紙の強度をさらに高めることができ、靴中敷き１０の耐久性の向上を図ることができる。
【００４６】
また上記実施形態では、乾燥工程において内側縦アーチ支持部１４などの立体形状部２４とともにミシン目７４を形成した場合を例に取り説明したが、ミシン目７４については立体形状部２４と同時に形成しなくてもよく、乾燥工程とは別の工程で形成するようにしてもよい。
【００４７】
また上記実施形態では、中敷き本体１２の表面を保護フィルムで被覆する場合を例に取り説明したが、例えば、中敷き本体１２の表面を保護フィルムで被覆しなくてもよい。この例では、コーティング工程を行わなくてもよい。
【００４８】
また例えば、中敷き本体１２の表面に加えて中敷き本体１２の裏面の一部または全ても保護フィルムで被覆するようにしてもよい。
【００４９】
また上記実施形態では、中敷き本体１２の表面の全てを保護フィルムで被覆する場合を例に取り説明したが、中敷き本体１２の表面の一部のみを保護フィルムで被覆するようにしてもよい。
【００５０】
また上記実施形態では、中敷き本体１２の表面を覆う保護フィルムによる保護層を中敷き本体１２における足裏が当接する領域の厚さよりも薄く形成した場合を例に取り説明したが、保護フィルムによる保護層を中敷き本体１２における足裏が当接する領域の厚さよりも厚く形成するようにしてもよい。
【００５１】
また上記実施形態では、中敷き本体１２の表面を保護する保護材として樹脂フィルムを用いる場合を例に取り説明したが、クッション性を有する衝撃吸収素材などを用いるようにしてもよい。
【符号の説明】
【００５２】
１０  靴中敷き、１２  中敷き本体、１４  内側縦アーチ支持部、
１６  横アーチ支持部、１８  ヒールカップ部、２０  外側縦アーチ支持部、
２２  線状凸部、２４  立体形状部、３０  内側縦アーチ、３２内側縦アーチ対応領域、
３４  横アーチ、３６  横アーチ対応領域、３８  外側縦アーチ、
５０  踵骨、５２  舟状骨、５４  第１楔状骨、５６  立方骨、５８  第１中足骨、
６０  第２中足骨、６２  第３中足骨、６４  第４中足骨、６６  第５中足骨、
６８  中足骨基部、７０  踵周縁領域、７２  外側縦アーチ対応領域、７４  ミシン目、
８０  抄紙金型、８２  内側縦アーチ支持部成形凸部、８４  横アーチ支持部成形凸部、８６  ヒールカップ部成形凸部、８８  外側縦アーチ支持部成形凸部、
９０  脱水口、９２  湿紙、９４  雌金型、９６  雄金型、９８  線状凸部成形凹部、
１００  紙シート、１０２  円状凸部、１０４  ミシン目成形凸部、
１０６  内側縦アーチ支持部成形凹部、１０８  横アーチ支持部成形凹部、
Ｔ  厚さ
【図１】
2020054733.tif 000003
【図２】
2020054733.tif 000004
【図３】
2020054733.tif 000005
【図４】
2020054733.tif 000006
【図５】
2020054733.tif 000007
【図６】
2020054733.tif 000008
【図７】
2020054733.tif 000009
【図８】
2020054733.tif 000010
【図９】
2020054733.tif 000011
【図１０】
2020054733.tif 000012